(57)【要約】      （修正有）【課題】簡単な構造で正確な位置に境界標を容易に設置できる境界標設置器具を提供する。【解決手段】土地境界を示す境界標８を内接する升形状の境界標設置器具本体４と、測量機器を使用して境界点を確定するためのプリズム６および水準器７を装着した測量棒５と境界標設置器具本体の開放面の中心部１と角部３および開放面を形成する１辺の中心部２のそれぞれの位置に境界標設置器具本体の開放面と反対側面に測量棒を設置するために設けた保持部を有する。【選択図】図１
0003205097.tif 000002
【実用新案登録請求の範囲】
【請求項１】
土地境界を示す境界標の境界点を表示している正方形平面を内接する升形状の境界標設置器具本体と、測量機器を使用して前記境界点を確定するためのプリズムおよび水準器を装着した測量棒と、
前記境界標設置器具本体の開放面の中心部と角部および開放面を形成する１辺の中心部のそれぞれの位置に前記境界標設置器具本体の開放面と反対側面に前記測量棒を設置するために設けた保持部を有する境界標設置器具。
【請求項２】
請求項１記載の保持部が、前記境界標設置器具本体の開放面と反対側面に設けた前記測量棒の外径以上の大きさの穴または前記測量棒の外径以上の大きさの穴を有する円筒状の筒であることを特徴とする境界標設置器具。
【考案の詳細な説明】
【技術分野】
【０００１】  本発明は土地境界に境界標を設置する場合の境界標設置器具に関する。
【背景技術】
【０００２】  従来、この種の境界標設置器具として、例えば、特許文献１に開示された境界標設置器具がある。この境界標設置器具は、測量機器を使用して境界点を確定するためのプリズムを装着した測量棒と境界標の実物大に形成された境界標設置器具本体と、境界標設置器具本体上部の平面視中心、いずれか１つの角、いずれか１つの辺の中点に測量棒を装着する挿入口を設け、境界標設置器具本体の側面を覆う着脱可能なケースを備えるようになっている。
【先行技術文献】
【特許文献】
【０００３】
【特許文献１】特許第５７８３５８０号公報
【考案の概要】
【考案が解決しようとする課題】
【０００４】  上記の特許文献１記載の境界標設置器具本体は境界標の実物大として形成されているために、測量棒を装着するために設ける３か所の挿入口のうち、１つの辺の中点に設けた挿入口は、測量棒の半分を、角部に設けた挿入口は測量部の４分の１だけしか収納できず、この２か所で測量棒を完全に挿入できるようにするには、着脱可能なケースを複雑な形状に加工しなければならないという課題がある。また、特許文献１の構成では、境界標の代替部材として境界標設置器具本体を利用しているので、境界標設置器具を使って境界点を確定した後に、境界標設置器具の本体を取り除いて、境界標を地中に埋め込み設置するようになるので正確な位置に境界標を設置できないという課題がある。【０００５】  本考案はこのような課題に鑑みてなされたものであり、簡単な構造で正確な位置に境界標を容易に設置できる境界標設置器具を提供することを目的とする。
【課題を解決するための手段】
【０００６】  上記課題を解決するため、本考案に係る境界標設置器具は、土地境界を示す境界標の境界点を表示している正方形平面を内接する升形状の境界標設置器具本体と測量機器を使用して前記境界点を確定するためのプリズムおよび水準器を装着した測量棒と前記境界標設置器具本体の開放面の中心部と角部および開放面を形成する１辺の中心部のそれぞれの位置に前記境界標設置き具本体の開放面と反対側面に、前記測量棒を設置するために設けた保持部とを有しており、保持部が、前記境界標設置器具本体の開放面と反対側面に設けた前記測量棒の外径以上の大きさの穴または前記測量棒の外径以上の大きさの穴を有する円筒状の筒である前記測量棒が内接する大きさの穴または前記測量棒が内接する円筒状の筒となっている。
【考案の効果】
【０００７】  本考案の境界標設置器具は、境界標に簡単な構造の境界標設置器具本体を装着し、境界標設置器具本体に装着されている水準器およびプリズム付きの測量棒を用いて測量機器を使用して境界点を容易に確定でき、境界点を確定した後は境界標から境界標設置器具本体を取り外すだけで正確な境界点に境界標を設置できる。
【図面の簡単な説明】
【０００８】
【図１】本考案の１実施形態に係る境界標設置器具の斜視図である。
【図２】本考案の１実施形態に係る境界標設置器具の側面図である。
【図３】本考案の１実施形態に係る境界標設置器具の平面図である。
【図４】本考案の１実施形態に係る境界標を示す図である。
【考案を実施するための形態】
【０００９】  以下、本考案の実施の形態について、図面を参照して説明する。図１は本考案の１実施形態に係る境界標設置器具の斜視図で、図２は本考案の１実施形態に係る境界標設置器具の側面図、図３は本考案の１実施形態に係る境界標設置器具の平面図である。図４は本考案の１実施形態に係る境界標を示す図で、図４（ａ）は境界標の平面図、図４（ｂ）は境界標の側面図を示す。図４（ａ）で、説明の便宜上境界標８の表面に境界標の角の境界点表示１０、境界標の中心の境界点表示１１、境界標の辺中央の境界点表示１２の３つ表示を同時に示しているが、実際の境界標には上記３表示のうち１つが表示されている。これらの３種類の境界点表示のいずれの場合でも、正確に境界点を位置決定できるように、本考案の境界設置器具は構成されている。
【００１０】  図１に示すように、本考案の１実施形態に係る境界標設置器具は、土地境界を示す境界標の境界点（１０，１１，１２のいずれか１つ）を表示している正方形平面（以降、境界標表面９と呼ぶ）を内接する升形状の境界標設置器具本体４と測量機器（図示せず）を使用して前記境界点を確定するためのプリズム６および水準器７を装着した測量棒５と前記境界標設置器具本体４の開放面の中心部と角部および開放面を形成する１辺の中心部のそれぞれの位置に前記境界標設置器具本体４の開放面と反対側面に、前記測量棒４を設置するために設けた保持部（１，２，３）とを有しており、保持部が、前記境界標設置器具本体４の開放面と反対側面に設けた前記測量棒の外径以上の大きさの穴で形成されている。
【００１１】  本考案の１実施形態に係る境界標設置器具はこのように構成されているので、境界標８に境界標設置器具を被せ、図４に示す境界標の３種類の境界点表示に対応した位置に計測棒５を立てて、測量機器を使用して境界点を確定するだけで境界標の位置を確定できた後、境界標８から境界標設置器具を外すだけで済む簡単な方法が提供できる。
【００１２】  また、本考案の第２の実施形態（図示せず）として、測量棒５の外径以上の大きさの穴からなる保持部に代わり、測量棒５が内接する大きさの穴を有する円筒状の筒を保持部（１，２，３）に設置してもよい。
【００１３】  更に、本考案の第３の実施形態（図示せず）として、測量棒５の外径以上の大きさの穴と測量棒５が内接する大きさの穴を有する円筒状の筒を組み合わせて、保持部（１，２，３）としてもよい。
【符号の説明】１・・測量棒挿入用中央穴
２・・測量棒挿入用辺央穴
３・・測量棒挿入用角穴
４・・境界標設置器具本体
５・・測量棒
６・・プリズム
７・・水準器
８・・境界標
９・・境界標表面
１０・・境界標の角の境界点表示
１１・・境界標の中心の境界点表示
１２・・境界標の辺中央の境界点表示
【図１】
0003205097.tif 000003
【図２】
0003205097.tif 000004
【図３】
0003205097.tif 000005
【図４】
0003205097.tif 000006